【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
照明器具であって、要素に対して暴露され且つ貯留水を貯めることができる天蓋の開口部内に取り付けるための照明器具であって、
１つまたは複数の光源を含む、前記天蓋に取り付ける照明パネルと、
前記照明パネルの上方に位置づけられる、前記１つまたは複数の光源に電気的に結合された駆動装置を収容するための駆動装置箱と、
前記照明パネルと前記駆動装置箱の間の、前記駆動装置箱を前記照明パネルの上方に離間させ、貯留水が前記天蓋上の前記駆動装置箱のすぐ下に溜まったときに前記貯留水の外に前記駆動装置箱を保持するのに十分な、前記照明パネルと前記駆動装置箱との間の距離を画成する引き上げ装置と
を備える照明器具。
【請求項２】
前記設備が、電気供給配線を含む、請求項１に記載の照明器具。
【請求項３】
前記天蓋は、ガソリンスタンドの天蓋である、請求項１に記載の照明器具。
【請求項４】
前記引き上げ装置が、前記駆動装置箱を前記設備と電気連通させて配置することを容易にする、請求項１に記載の照明器具。
【請求項５】
前記引き上げ装置が、前記駆動装置箱を、異なる照明器具との連通のために事前に取り付けられた設備と電気連通させて配置することを容易する、請求項１に記載の照明器具。
【請求項６】
前記１つまたは複数の光源のうちの少なくとも１つが、ＬＥＤを含む、請求項１に記載の照明器具。
【請求項７】
装着板をさらに備える、請求項１に記載の照明器具。
【請求項８】
照明器具を、画定された開口部および要素に対して暴露される既存の設備を備えた既存の天蓋に取り付ける方法であって、前記照明器具が、１つまたは複数の光源を含む照明パネルと、前記１つまたは複数の光源に電気的に結合された駆動装置を収容するための駆動装置箱と、引き上げ装置とを備え、前記方法が、
ａ）前記貯留水が前記駆動装置箱のすぐ下に溜まったときに前記貯留水の外に前記駆動装置箱を保持するのに十分な距離であって、前記既存の設備と連通するために前記照明パネルの上方に、および前記天蓋の上方に、前記駆動装置箱が離間される必要がある距離を特定するステップと、
ｂ）前記駆動装置箱を前記距離だけ前記照明パネルから離間するために、前記引き上げ装置のサイズを調整するステップと
を含む、方法。
【請求項９】
前記引き上げ装置を前記照明パネルに固定するステップをさらに含む、請求項８に記載の方法。
【請求項１０】
前記引き上げ装置を前記駆動装置箱に固定するステップをさらに含む、請求項８に記載の方法。
【請求項１１】
前記設備が電気配線である、請求項８に記載の方法。
【請求項１２】
前記駆動装置箱を前記設備に連結するステップをさらに含む、請求項８に記載の方法。
【請求項１３】
前記天蓋は、ガソリンスタンドの天蓋である、請求項８に記載の方法。
【請求項１４】
前記１つまたは複数の光源のうちの少なくとも１つが、ＬＥＤを含み、前記駆動装置箱が、駆動装置を収容して前記ＬＥＤに電力供給する、請求項８に記載の方法。
【請求項１５】
前記設備が、電気導管内の電気配線を備え、前記引き上げ装置のサイズを調整する前記ステップが、前記駆動装置箱を前記距離だけ前記照明パネルから離間するよう適正にサイズ設定されるように前記引き上げ装置を切断するステップを構成する、請求項８に記載の方法。
【請求項１６】
天蓋内に取り付けるための照明器具であって、
１つまたは複数の光源を含む照明パネルと、
前記光源に電力を通すための電気要素を収容するための駆動装置箱と、
前記照明パネルと前記駆動装置箱の間の引き上げ装置であって、貯留水が前記駆動装置箱のすぐ下で前記天蓋上に溜まったときに前記駆動装置箱を貯留水の外に保持するのに十分な、前記駆動装置箱と前記天蓋の上面との間の距離を画成するように前記駆動装置箱を前記照明パネルから離間する引き上げ装置と
を備え、前記照明パネルと前記駆動装置箱との間の距離は調節可能である、照明器具。
【請求項１７】
前記構造体が天蓋である、請求項１６に記載の照明器具。
【請求項１８】
前記１つまたは複数の光源のうちの少なくとも１つが、ＬＥＤを含む、請求項１６に記載の照明器具。
【請求項１９】
装着板をさらに備える、請求項１６に記載の照明器具。
【手続補正２】
【補正対象書類名】明細書
【補正対象項目名】００１４
【補正方法】変更
【補正の内容】
【００１４】
[0014]本開示の態様は、例示的な性質であり限定的ではないとみなされる添付の図と一緒に読み取ることにより、以下の説明からより完全に理解され得る。図は原寸通りである必要はなく、その代わりに本開示の原理に重点が置かれる。なお、本発明は、以下の態様に関し得る。
（態様１）開口部の上方に引き上げられた設備を有する構造体内の前記開口部内に取り付けるための照明器具であって、１つまたは複数の光源を含む照明パネルと、前記１つまたは複数の光源に電気的に結合された駆動装置を収容するための駆動装置箱と、前記照明パネルと前記駆動装置箱の間の、前記駆動装置箱を前記照明パネルから離間するように構成された引き上げ装置とを備える照明器具。
（態様２）前記設備が、電気供給配線を含む、態様１に記載の照明器具。
（態様３）前記構造体が天蓋である、態様１に記載の照明器具。
（態様４）前記引き上げ装置が、前記駆動装置箱を前記設備と電気連通させて配置することを容易にする、態様１に記載の照明器具。
（態様５）前記引き上げ装置が、前記駆動装置箱を、異なる照明器具との連通のために事前に取り付けられた設備と電気連通させて配置することを容易する、態様１に記載の照明器具。
（態様６）前記１つまたは複数の光源のうちの少なくとも１つが、ＬＥＤを含む、態様１に記載の照明器具。
（態様７）前記引き上げ装置の前記少なくとも１つの寸法が、調整可能である、態様１に記載の照明器具。
（態様８）装着板をさらに備える、態様１に記載の照明器具。
（態様９）照明器具を、画定された開口部および既存の設備を備えた既存の構造体に取り付ける方法であって、前記照明器具が、１つまたは複数の光源を含む照明パネルと、前記１つまたは複数の光源に電気的に結合された駆動装置を収容するための駆動装置箱と、引き上げ装置とを備え、前記方法が、ａ）前記既存の設備と連通するために前記照明パネルから前記駆動装置箱が離間される必要がある距離を特定するステップと、ｂ）前記駆動装置箱を前記距離だけ前記照明パネルから離間することを容易にするために、前記引き上げ装置のサイズを調整するステップとを含む、方法。
（態様１０）前記引き上げ装置を前記照明パネルに固定するステップをさらに含む、態様８に記載の方法。
（態様１１）前記引き上げ装置を前記駆動装置箱に固定するステップをさらに含む、態様８に記載の方法。
（態様１２）前記設備が電気配線である、態様８に記載の方法。
（態様１３）前記駆動装置箱を前記設備に連結するステップをさらに含む、態様８に記載の方法。
（態様１４）前記構造体が天蓋である、態様８に記載の方法。
（態様１５）前記１つまたは複数の光源のうちの少なくとも１つが、ＬＥＤを含み、前記駆動装置箱が、駆動装置を収容して前記ＬＥＤに電力供給する、態様８に記載の方法。
（態様１６）前記設備が、電気導管内の電気配線を備え、前記引き上げ装置のサイズを調整する前記ステップが、前記駆動装置箱を前記距離だけ前記照明パネルから離間するよう適正にサイズ設定されるように前記引き上げ装置を切断するステップを構成する、態様８に記載の方法。
（態様１７）構造体内に取り付けるための照明器具であって、１つまたは複数の光源を含む照明パネルと、前記光源に電力を通すための電気要素を収容するための駆動装置箱と、
前記照明パネルと前記駆動装置箱の間の、前記駆動装置箱が前記構造体の上面から離間されるように前記駆動装置箱を前記照明から離間する引き上げ装置とを備える、照明器具。
（態様１８）前記構造体が天蓋である、態様１７に記載の照明器具。
（態様１９）前記１つまたは複数の光源のうちの少なくとも１つが、ＬＥＤを含む、態様１７に記載の照明器具。
（態様２０）装着板をさらに備える、態様１７に記載の照明器具。